(57)【要約】【課題】有事発生の対応の迅速化を可能にする登下校時防犯システムの提供。【解決手段】上記課題は、児童が携帯するところの受発信機能を有する児童用携帯端末装置２、２Ａ、２Ｂと、登校時と下校時のいずれか一方時若しくは両方時の集団リーダーが携帯するところの受発信機能を有するリーダー用携帯端末装置４と、児童が登下校する学校に設置された学校用受信装置６と、児童の自宅に設置された自宅用受信装置８と、児童用携帯端末装置２、２Ａ、２Ｂ、リーダー用携帯端末装置４、学校用受信装置６及び自宅用受信装置８を接続する通信回路網９とを備えた登下校時防犯システムにおいて、児童用携帯端末装置２、２Ａ、２Ｂからの通報先を、学校用受信装置６、リーダー用携帯端末装置４若しくは自宅用受信装置８に切替える構成することで、達成できる。【選択図】図１
2008171319.tif 000002
【特許請求の範囲】
【請求項１】
各児童がそれぞれ携帯するところの受発信機能を有する児童用携帯端末装置と、登校時と下校時のいずれか一方時若しくは両方時の集団リーダーが携帯するところの受発信機能を有するリーダー用携帯端末装置と、各児童が登下校する学校に設置された学校用受信装置と、各児童の自宅にそれぞれ設置された自宅用受信装置と、前記児童用携帯端末装置、前記リーダー用携帯端末装置、前記学校用受信装置及び前記自宅用受信装置を接続する通信回路網とを少なくとも具備する登下校時防犯システムにおいて、前記児童用携帯端末装置からの通報先を、前記児童用携帯端末装置の所定の操作若しくは設定時間によって、前記学校用受信装置、前記リーダー用携帯端末装置若しくは前記自宅用受信装置に切替える構成にしたことを特徴とする登下校時防犯システム。
【請求項２】
各児童の自宅から集団登校時の集合場所までの間における前記児童用携帯端末装置からの通報先を、前記リーダー用携帯端末装置とし、かつ、集団登校時の集合場所から学校までの間における前記児童用携帯端末装置からの通報先を、前記リーダー用携帯端末装置及び前記学校用受信装置に切替えるとともに、各児童の集団下校時の学校から各児童の自宅までの間における前記児童用携帯端末装置からの通報先を、前記学校用受信装置と前記自宅用受信装置とのいずれか一方若しくは両方に切替える構成にしたことを特徴とする請求項１記載の登下校時の防犯システム。
【請求項３】
各児童の帰宅後における前記児童用携帯端末装置からの通報先を、前記自宅用受信装置に切替える構成にしたことを特徴とする請求項１若しくは２記載の登下校時防犯システム。
【発明の詳細な説明】
【技術分野】
【０００１】
本発明は、児童の登下校時における安全を確保するのに好適な登下校時防犯システムに関するものである。
【背景技術】
【０００２】
従来、登下校時防犯システムとしては、端末装置と階層構造に配置された複数の中継機と受信機とを備え、児童の通学途中に有事が発生した場合に、その有事の発生を受信機に通報して、児童の安全を確保するようにしたものが知られている（例えば、特許文献１参照）。
【特許文献１】特開２００５−２４３００２号公報
【発明の開示】
【発明が解決しようとする課題】
【０００３】
しかしながら、上述した特開２００５−２４３００２号公報に記載された登下校時防犯システムでは、端末装置からの通報を全て特定の受信機に対して行うようにしており、通報時の初期対応、真報か誤報課の判断若しくは真報時の救援依頼などの全ての対応を、集中して行われなければならず、有事が発生した場合の対応が煩雑となり、その対応が迅速に行われない場合が発生してしまうという問題があった。
【０００４】
本発明は、上述した従来技術における実状からなされたもので、その目的は、児童の登下校時における児童からの通報に対する対応を迅速に行えるようにした登下校時防犯システムを提供することにある。
【課題を解決するための手段】
【０００５】
上記目的を達成するために、本発明は、各児童がそれぞれ携帯するところの受発信機能を有する児童用携帯端末装置と、登校時と下校時のいずれか一方時若しくは両方時の集団リーダーが携帯するところの受発信機能を有するリーダー用携帯端末装置と、各児童が登下校する学校に設置された学校用受信装置と、各児童の自宅にそれぞれ設置された自宅用受信装置と、前記児童用携帯端末装置、前記リーダー用携帯端末装置、前記学校用受信装置及び前記自宅用受信装置を接続する通信回路網とを少なくとも具備する登下校時防犯システムにおいて、前記児童用携帯端末装置からの通報先を、前記児童用携帯端末装置の所定の操作若しくは設定時間によって、前記学校用受信装置、前記リーダー用携帯端末装置若しくは前記自宅用受信装置に切替える構成にしたことを特徴としている。
【０００６】
さらに、本発明は、各児童の自宅から集団登校時の集合場所までの間における前記児童用携帯端末装置からの通報先を、前記リーダー用携帯端末装置とし、かつ、集団登校時の集合場所から学校までの間における前記児童用携帯端末装置からの通報先を、前記リーダー用携帯端末装置及び前記学校用受信装置に切替えるとともに、各児童の集団下校時の学校から各児童の自宅までの間における前記児童用携帯端末装置からの通報先を、前記学校用受信装置と前記自宅用受信装置とのいずれか一方若しくは両方に切替える構成にしたことを特徴としている。
【０００７】
さらに、本発明は、各児童の帰宅後における前記児童用携帯端末装置からの通報先を、前記自宅用受信装置に切替える構成にしたことを特徴としている。
【発明の効果】
【０００８】
本発明によれば、児童用携帯端末装置からの通報先を、児童用携帯端末装置の所定の操作若しくは設定時間によって、学校用受信装置、リーダー用携帯端末装置若しくは自宅用受信装置に切替えるようにしたので、有事発生時の対応の責任者が明確になるとともに、その対応の迅速化が図られて安全性の精度を向上させることのできる登下校時防犯システムが得られる。
【発明を実施するための最良の形態】
【０００９】
以下、本発明に係る登下校時防犯システムの一実施形態を、図面に基づいて説明する。図１は、本発明の一実施形態に係り、登下校時防犯システムの全体構成概略図である。図２は、本発明の一実施形態に係り、登下校時防犯システムによる登校時の監視手順を示すフローチャートである。図３は、本発明の一実施形態に係り、登下校時防犯システムによる下校時の監視手順を示すフローチャートである。
【００１０】
図１に示す本発明の一実施形態に係る登下校時防犯システムは、各児童１、１Ａ、１Ｂがそれぞれ携帯するところの受発信機能を有する児童用携帯端末装置２、２Ａ、２Ｂと、集団で登下校する時の集団リーダー３が携帯するところの受発信機能を有するリーダー用携帯端末装置４と、各児童１、１Ａ、１Ｂが登下校する学校５に設置されるところの受発信機能を有する電話などからなる学校用受信装置６と、各児童１、１Ａ、１Ｂの自宅７、７Ａに設置されるところの受発信機能を有する電話などからなる自宅用受信装置８、８Ａと、児童用携帯端末装置２、２Ａ、２Ｂ、リーダー用携帯端末装置４、学校用受信装置６及び自宅用受信装置８、８Ａを接続する通信回路網９を、少なくとも備えている。集団リーダー３は、高学年の生徒としてもよいし、保護者やボランティア活動をする人達などからなる引率責任者としてもよい。通信回路網９としては、有線無線を問わず、衛星通信などのあらゆる通信ネットワークが含まれるものとする。
【００１１】
各児童１、１Ａ、１Ｂの通学路１０の途中には、集合場所１１を設置して、集団登校が行われるようにしてある。学校５には、登下校する児童１、１Ａ、１Ｂ及び集団リーダー３の位置（移動位置）を表示画面で確認することのできる機能を少なくとも有するパーソナルコンピューター１２が設置されている。学校用受信装置６及び自宅用受信装置８、８Ａは、児童用携帯端末装置２、２Ａ、２Ｂやリーダー用携帯端末装置４からの通報を監視して、各児童１、１Ａ、１Ｂに対する犯罪などの有事発生を阻止するための各種の対応を行えるようにしてある。
【００１２】
児童用携帯端末装置２、２Ａ、２Ｂには、それぞれ、登校開始釦（図示せず）、下校開始釦（図示せず）及び帰宅釦（図示せず）が備えられている。児童用携帯端末装置２、２Ａ、２Ｂの登校開始釦が押されると、児童用携帯端末装置２、２Ａ、２Ｂの通報先が、自宅用受信装置８、８Ａからリーダー用携帯端末装置４に切替わるようにしてある。児童用携帯端末装置２、２Ａ、２Ｂの下校開始釦が押されると、児童用携帯端末装置２、２Ａ、２Ｂの通報先が、学校用受信装置６に切替わるようにしてある。児童用携帯端末装置２、２Ａ、２Ｂの帰宅釦が押されると、児童用携帯端末装置２、２Ａ、２Ｂの通報先が,学校用受信装置６から自宅用受信装置８、８Ａに切替わるようにしてある。
【００１３】
次に、上記一実施形態に係る登下校時防犯システムよる登校時の監視手順を、図２に基づき、説明する。
【００１４】
まず、各児童１、１Ａ、１Ｂが、自宅７、７Ａを出る時に、児童用携帯端末装置２、２Ａ、２Ｂの登校開始釦を押下すると、その押下したか否かが、図２のステップＳ１示すように判定される。そして、登校開始釦が押下されたと判定されると、児童用携帯端末装置２、２Ａ、２Ｂの通報先が、図２のステップＳ２に示すように、自宅用受信装置８、８Ａから集団リーダー３が携帯するリーダー用携帯端末装置４に切替わる。これにより、自宅７、７Ａから集合場所１１までの間で各児童１、１Ａ、１Ｂに対する有事が発生した場合には、各児童１、１Ａ、１Ｂが児童用携帯端末装置２、２Ａ、２Ｂを操作してリーダー用携帯端末装置４に、有事発生の通報（図１の回線ｃから回線ｄを経由して通報）することで、集合場所１１で待機している集団リーダー３が通学路１０の確認や各児童１、１Ａ、１Ｂへの対応を迅速に行うことができる。また、救助依頼が必要な状況の場合には、集団リーダー３がリーダー用携帯端末装置４を操作して学校用受信装置６に通報（図１の回線ｄから回線ｂを経由して通報）することで、学校５の責任者が、各児童１、１Ａ、１Ｂの登校時の有事発生に対する対応を迅速に行うことができる。
【００１５】
次いで、集合場所１１に児童１、１Ａ、１Ｂ全員が到着したか否かが、図２のステップＳ３に示すように、判定される。そして、集合場所１１に児童１、１Ａ、１Ｂ全員が到着したことが集団リーダー３によって判定されると、図２のステップＳ４に示すように、集団リーダー３のリーダー用携帯端末装置４により、全員集合（集合完了）したことを学校用受信装置６に通報（通知）するとともに、集団登校する児童１、１Ａ、１Ｂ全員の児童用携帯端末装置２、２Ａ、２Ｂのデータを学校用受信装置６に送信する。これにより、集合場所１１から学校５までの間における登校状態が、学校用受信装置６及びパーソナルコンピューター１２にて警戒監視される。また、万一、集合場所１１から学校５までの通学路１０で、各児童１、１Ａ、１Ｂに有事が発生した場合には、集団リーダー３がリーダー用携帯端末装置４を操作して学校用受信装置６に通報（図１の回線ｄから回線ｂを経由して通報）することで、学校５の責任者が迅速に行うことができる。
【００１６】
次いで、学校５に児童１、１Ａ、１Ｂ全員が到着したか否かを、図２のステップＳ５に示すように、判定される。そして、各児童１、１Ａ、１Ｂが集団登校で、学校５に到着したことが集団リーダー３によって判定されると、図２のステップＳ６に示すように、集団リーダー３がリーダー用携帯端末装置４を操作して学校用受信装置６に、「学校５に全員到着した」旨の通報（通知）が行われる。その後、集団登校した児童１、１Ａ、１Ｂの児童用携帯端末装置２、２Ａ、２Ｂに対するところの、学校５に設置された学校用受信装置６及びパーソナルコンピューター１２による警戒監視が、図２のステップＳ７に示すように、解除される。
【００１７】
以上のように、各児童１、１Ａ、１Ｂの登校中に有事が発生した場合には、児童用携帯端末装置２、２Ａ、２Ｂからリーダー用携帯端末装置４への通報によって集団リーダー３による対応が可能となり、学校５への通報の集中を阻止することができるとともに、登校中の児童１、１Ａ、１Ｂ全員を、学校用受信装置６及びパーソナルコンピューター１２によって警戒監視しており、万一、有事が発生した際には、学校５の責任者が迅速に対応させることが可能となる。
【００１８】
次に、上記一実施形態に係る登下校時防犯システムよる下校時の監視手順を、図３に基づき、説明する。
【００１９】
まず、各児童１、１Ａ、１Ｂ若しくは集団下校の集団リーダー３が、学校５を出る時に、児童用携帯端末装置２、２Ａ、２Ｂの下校開始釦を押下すると、その押下したか否かが、図３のステップＳ１１示すように判定される。そして、下校開始釦が押下されたと判定されると、学校用受信装置６及びパーソナルコンピューター１２によって、各児童１、１Ａ、１Ｂが携帯している児童用携帯端末装置２、２Ａ、２Ｂの警戒監視が、図３のステップＳ１２に示すように、開始されて、その後、児童用携帯端末装置２、２Ａ、２Ｂの通報先が、図２のステップＳ１３に示すように、学校５に設置された学校用受信装置６に切替えられる。これにより、学校５から自宅７、７Ａまでの間を、学校用受信装置６及びパーソナルコンピューター１２によって警戒監視され、万一、有事が発生した際には、学校５の責任者が対応する。
【００２０】
次いで、自宅７、７Ａに到着した各児童１、１Ａ、１Ｂが、児童用携帯端末装置２、２Ａ、２Ｂの帰宅釦を押下すると、その押下したか否かが、図３のステップＳ１４示すように判定される。そして、帰宅釦が押下されたと判定されると、児童用携帯端末装置２、２Ａ、２Ｂの通報先が、図２のステップＳ１５に示すように、自宅用受信装置８、８Ａに切替えられる。これにより、児童１、１Ａ、１Ｂが帰宅後、塾などに外出している間に有事が発生すると、児童１、１Ａ、１Ｂが児童用携帯端末装置２、２Ａ、２Ｂを操作して自宅用受信装置８、８Ａに通報（回線ｃから回線ｅを経由して通報）することで、自宅７、７Ａの保護者等が迅速に行うことができる。
【００２１】
このように、各児童１、１Ａ、１Ｂの下校中に有事が発生した場合には、児童用携帯端末装置２、２Ａ、２Ｂから学校用受信装置６への通報（回線ｃから回線ｂ経由）によって学校５の責任者による対応が可能となり、かつ、各児童１、１Ａ、１Ｂの帰宅後に有事が発生した場合には、児童用携帯端末装置２、２Ａ、２Ｂから自宅用受信装置８、８Ａへ通報（図1の回線ｃから回線ｅを経由して通報）によって保護者等による対応が可能となるため、児童用携帯端末装置２、２Ａ、２Ｂから学校５への通報が、学校用受信装置６に集中することがなく、有事が発生した場合の対応を学校５の責任者が円滑に行うことができる。
【００２２】
上記構成の登下校時防犯システムによれば、各児童１、１Ａ、１Ｂが携帯する児童用携帯端末装置２、２Ａ、２Ｂからの通報を、最適な通報先に適宜に切り替えることができるので、各児童１、１Ａ、１Ｂの登下校に発生した有事発生時の対応の責任者が明確になるとともに、その有事の内容を確実に把握することができて、その有事に対する対応を迅速に行わせることができため、安全性の精度を向上させるができる。
【００２３】
上記実施形態例では、児童用携帯端末装置２、２Ａ、２Ｂからの通報先を切替える手段を、児童用携帯端末装置２、２Ａ、２Ｂの登校開始釦、下校開始釦若しくは帰宅釦としているが、これに限定されない。児童１、１Ａ、１Ｂの登校時間、下校時間及び帰宅時間を予め設定して、その設定時間によって、児童用携帯端末装置２、２Ａ、２Ｂからの通報先を、リーダー用携帯端末装置４、学校用受信装置６若しくは自宅用受信装置８、８Ａに切替えるように構成してもよい。
【００２４】
さらに、児童用携帯端末装置２、２Ａ、２Ｂからの通報先を切替える手段は、例えば、学校５の校門、集合場所１１の所定個所及び自宅７、７Ａの所定個所に、二次元バーコード（図示せず）を設けておくとともに、児童用携帯端末装置２、２Ａ、２Ｂをカメラ付として、そのカメラ（図示せず）によって二次元バーコードを撮影することにより、リーダー用携帯端末装置４、学校用受信装置６若しくは自宅用受信装置８、８Ａに切替えるように構成してもよい。
【００２５】
さらに、上記実施形態例では、登校時を集団登校とした例で説明しているが、登校時を自由登校として下校時を集団下校としたり、登校時を集団登校として下校時を集団下校としたりするようにしてもよい。集団登校時の集合場所１１としては、児童１、１Ａ、１Ｂの自宅７、７Ａの近傍にある公園等に設定し、かつ、集団下校時の集合場所１１としては、学校の出入口近傍に設定することが好ましい。
【図面の簡単な説明】
【００２６】
【図１】本発明の一実施形態に係り、登下校時防犯システムの全体構成概略図である。
【図２】本発明の一実施形態に係り、登下校時防犯システムによる登校時の監視手順を示すフローチャートである。
【図３】本発明の一実施形態に係り、登下校時防犯システムによる下校時の監視手順を示すフローチャートである。
【００２７】
１、１Ａ、１Ｂ  児童
２、２Ａ、２Ｂ  児童用携帯端末装置
３    集団リーダー
４    リーダー用携帯端末装置
５    学校
６    学校用受信装置
７、７Ａ  自宅
８、８Ａ  自宅用受信装置
９    通信回路網
１０  通学路
１１  集合場所
１２  パーソナルコンピューター
【図１】
2008171319.tif 000003
【図２】
2008171319.tif 000004
【図３】
2008171319.tif 000005